(57)【要約】      （修正有）【課題】ヘッドスライダの浮上安定性を向上させることで、浮上量を低減させて記録密度の向上を図ることが可能な記憶装置を提供する。【解決手段】記憶媒体に対向する浮上面と空気の流出側に位置する流出端面を有するヘッドスライダと、支軸を中心に回動し、ヘッドスライダを記憶媒体上に移動させるヘッドアクチュエータと、ヘッドアクチュエータの先端に設けられたリフトタブと、リフトタブが進入する傾斜面と、傾斜面に連続して形成されリフトタブを誘導する誘導面と、ヘッドスライダの流出端面に対向する側壁面とを有するランプ部材と、ランプ部材の側壁面に設けられ、ヘッドスライダの流出端面と接触する接触部材とを備える。【選択図】図２
2010218618.tif 000002
【特許請求の範囲】
【請求項１】
記憶媒体に対向する浮上面と空気の流出側に位置する流出端面を有するヘッドスライダと、
支軸を中心に回動し、前記ヘッドスライダを前記記憶媒体上に移動させるヘッドアクチュエータと、
前記ヘッドアクチュエータの先端に設けられたリフトタブと、
前記リフトタブが進入する傾斜面と、前記傾斜面に連続して形成され前記リフトタブを誘導する誘導面と、前記ヘッドスライダの前記流出端面に対向する側壁面とを有するランプ部材と、
前記ランプ部材の前記側壁面に設けられ、前記ヘッドスライダの前記流出端面と接触する接触部材と、
を備えることを特徴とする記憶装置。
【請求項２】
前記ランプ部材の前記側壁面は前記支軸から等距離に描かれる円弧状であり、前記接触部材は、前記ヘッドアクチュエータの回動により前記ヘッドスライダ先端で描かれる円弧に沿って設けられることを特徴とする請求項１に記載の記憶装置。
【請求項３】
前記接触部材の前記側壁面からの厚さは、リフトタブ進入端に向かってテーパ状に薄くなり、最薄部は前記ヘッドスライダの先端が移動に伴って描く円弧より外側に位置することを特徴とする請求項１または２に記載の記憶装置。
【請求項４】
前記接触部材の前記側壁面からの厚さは一定の厚さであり、前記側壁面はリフトタブ進入端に向かって傾斜する傾斜壁面を有し、前記傾斜壁面の前記ヘッドスライダ進入端は前記ヘッドスライダの先端が移動に伴って描く円弧より外側に位置することを特徴とする請求項１または２に記載の記憶装置。
【請求項５】
前記ランプ部材をスライドさせる駆動機構を有することを特徴とする請求項１または２いずれか１項に記載の記憶装置。
【請求項６】
前記ヘッドスライダの前記流出端面は端子部を有し、
前記接触部材は、前記端子部が対向する位置を避けて前記側壁面に設けられることを特徴とする請求項1乃至５いずれか1項に記載の記憶装置。
【請求項７】
前記記憶媒体の中心から前記接触部材の前記リフトタブ進入端までの距離は、前記記憶媒体の半径より大きいことを特徴とする請求項１乃至６いずれか１項に記載の記憶装置。
【請求項８】
ヘッドスライダをロード・アンロードする際に、ヘッドアクチュエータの先端に設けられたリフトタブを誘導する記憶装置用ランプ部材であって、
本体部と、
前記本体部の側面に突出して設けられた突片と、
前記突片の先端に設けられ、前記リフトタブが進入する傾斜面と、
前記傾斜面に連続して形成され前記リフトタブを誘導する誘導面と、
前記突片に設けられ、前記傾斜面及び誘導面に連続した側壁面と、
前記側壁面に設けられ、前記ヘッドスライダの前記流出端面と接触する接触部材と、
を備えたことを特徴とする記憶装置用ランプ部材。
【発明の詳細な説明】
【技術分野】
【０００１】
本件は、ヘッドスライダをランプ部材にロード・アンロードさせるロード・アンロード方式の記憶装置に関する。
【背景技術】
【０００２】
近年、記憶装置は、より一層の小型化、高記録密度化が望まれている。そこで、ヘッドスライダの記録／再生用の素子とディスク媒体の記録層との距離を近づけるために、ヘッドスライダの浮上量が数ｎｍになってきている。そのため、ヘッドスライダの浮上に対し、高い安定性が求められている。
【０００３】
ヘッドスライダはディスク媒体の回転により発生する空気流を媒体対向面（浮上面）の流入端側から流出端側に流すことで浮上力を得て、媒体上を浮上する。現在主流のヘッドスライダは、浮上面上に媒体から離れる方向の力である正圧と媒体に近づく方向の力である負圧を発生させ、浮上変動や浮上ばらつきの低減を図っている。また、ヘッドスライダの流出端側の側面には電磁変換用の素子が搭載されている。
【０００４】
ディスク媒体の表面には、ヘッドスライダとの接触による傷付きを防止するために潤滑剤が塗布されている。その潤滑剤が蒸発などによりヘッドスライダの浮上面に付着することがある。潤滑剤はヘッドスライダの浮上面とディスク媒体の間に発生した負圧により吸い上げられ、ヘッドスライダの浮上面に付着する。これにより、浮上面の表面形状が変化して、浮上姿勢、浮上量に影響がでてしまう場合がある。そこで、浮上面に付着した潤滑剤等の塵埃を除去することにより浮上面の表面形状が変化してしまうことを解決する技術が考えられている。（特許文献１、２）
【先行技術文献】
【特許文献】
【０００５】
【特許文献１】特開平８−２７９２６５号公報
【特許文献２】特開平１０−４９８５０号公報
【発明の概要】
【発明が解決しようとする課題】
【０００６】
記憶装置には、ロード・アンロード方式を用いた記憶装置がある。ロード・アンロード方式はディスク動作時にヘッドスライダをディスク表面にロードし、不動作時にはヘッドスライダをディスク表面からアンロードする方式である。アンロードとは、リフトタブによってランプ部材の傾斜面上を移動して退避位置に移動することである。
【０００７】
特に、ロード・アンロード方式を用いた記憶装置の場合、ヘッドスライダの浮上面に付着した潤滑剤を除去するだけでは、ヘッドスライダの浮上変動や浮上ばらつきを低減することが十分に図れないことがわかってきた。
【０００８】
よって、本発明の目的は、ヘッドスライダの浮上安定性を向上させることで、浮上量を低減させて記録密度の向上を図ることが可能な記憶装置を提供することである。
【課題を解決するための手段】
【０００９】
本件開示の記憶装置は、記憶媒体に対向する浮上面と空気の流出側に位置する流出端面を有するヘッドスライダと、支軸を中心に回動し、ヘッドスライダを記憶媒体上に移動させるヘッドアクチュエータと、ヘッドアクチュエータの先端に設けられたリフトタブと、リフトタブが進入する傾斜面と、傾斜面に連続して形成されリフトタブを誘導する誘導面と、ヘッドスライダの流出端面に対向する側壁面とを有するランプ部材と、ランプ部材の側壁面に設けられ、ヘッドスライダの流出端面と接触する接触部材とを備える。
【発明の効果】
【００１０】
以上のように、本件開示の記憶装置によれば、ヘッドスライダの浮上変動を抑制し、ヘッドスライダの安定浮上を実現することができる。これにより、ヘッドスライダとディスク媒体の隙間を小さすることができるので、記録密度の向上が可能である。
【図面の簡単な説明】
【００１１】
【図１】ロード・アンロード方式の磁気ディスク装置の構成図である。
【図２】ヘッドスライダに設けたリフトタブとランプ部材の模式図である。
【図３】ランプ部材の一実施例を表す斜視図である。
【図４】ヘッドスライダとディスク媒体との距離とヘッドスライダに付着した潤滑剤の移動の模式図である。
【図５】ランプ部材とランプ部材に進入する前のヘッドスライダの位置関係を示した模式図である。
【図６】ランプ部材とランプ部材に進入したヘッドスライダの位置関係を示した模式図である。
【図７】支軸からランプ部材までの距離と支軸からヘッドスライダまでの距離の関係を表した模式図である。
【図８】テーパ状部を有した接触部材を備えたランプ部材の形状を示した模式図である。
【図９】傾斜壁面を備えたランプ部材の形状を示した模式図である。
【図１０】ランプ部材の形状を示した模式図である。
【図１１】駆動モータとランプ部材を示した模式図である。
【図１２】流出端面に接続端子部を有するヘッドスライダの斜視図である。
【図１３】ヘッドスライダとランプ部材の位置関係を表す模式図である。
【図１４】ディスク媒体に対する接触部材の位置についての模式図である。
【発明を実施するための形態】
【００１２】
以下、添付図面を参照しつつ本発明の実施形態を説明する。
【実施例】
【００１３】
記憶媒体に対してデータの読込みと書込みを行う記憶装置として、磁気ディスク装置がある。本発明の記憶装置の実施形態として、磁気ディスク装置の構成を図１に示す。なお、すべての図において同一部分は同一符号で示す。磁気ディスク装置１はロード・アンロード方式を用いた記憶装置である。
【００１４】
ヘッドスライダの浮上変動や浮上ばらつきが生じる原因として、潤滑剤等の塵埃がヘッドスライダの浮上面に付着するだけでなく、ヘッドスライダの流出端側の側面、即ち流出端面にも潤滑剤等の塵埃が付着することが原因と考えられる。特に、このロード・アンロード方式を用いると、ヘッドスライダがランプ部材に退避して停止したときに流出端面に付着した潤滑剤が浮上面に移動してしまう移着という現象が起きることが発明者らによって明らかとなった。
【００１５】
潤滑剤が浮上面に移動して付着することにより、表面形状が変化し、ヘッドスライダ表面の圧力分布が変化する。これによって、ヘッドスライダの浮上変動や浮上ばらつきが生じる。浮上変動とは、浮上量の大きさの変化や、ヘッドスライダの振動である。浮上量が小さいと、振動することによりヘッドスライダとディスク媒体の衝突が起こり易くなる。さらに、ヘッドスライダ浮上時の浮上面とディスク媒体の浮上量が最小の位置に潤滑剤が移着すると衝突する可能性が高くなる。なお、ヘッドスライダは、空気の流入端より流出端の浮上量の方が小さい設計となっている。
【００１６】
さらに、ヘッドスライダの浮上量は年々低下してきており、最も接近するところで数ｎｍという浮上量である。従来数十ｎｍであった頃と比べると、潤滑剤が浮上面に付着し、浮上に与える影響が相対的に大きくなってきている。浮上量が低くなるほど不安定な浮上により、ヘッドスライダとディスク媒体が衝突することが起こり、ヘッドスライダ及びディスク媒体を破壊する可能性が高くなる。従って、安定した浮上を実現するためには、流出端面から浮上面への潤滑剤等の塵埃の移着を防ぐことが重要である。
【００１７】
そこで、本件開示の記憶装置の具体的な構成について説明する。図１の磁気ディスク装置１の筐体２の中に、スピンドルモータ３が設けられており、このスピンドルモータ３に少なくとも１枚のディスク媒体４が取り付けられている。ディスク媒体４は記憶媒体としてデータを記録するものであり、ディスク媒体４に記録されたデータの読み取り、或いは、ディスク媒体４へのデータの書き込みはヘッドスライダ５によって行われる。ヘッドスライダ５はヘッドアクチュエータ９に設けられる。ヘッドアクチュエータ９はサスペンション８とアクチュエータアーム９ａからなり、サスペンション８先端にリフトタブ７が設けられ、アクチュエータアーム９ａが支軸１０を中心として、ボイスコイルモータ１１によって回動する。
【００１８】
これにより、ヘッドスライダ５は目標位置に位置決めされ、書き込み又はディスク媒体４の記録層に記録された磁気信号を検出し増幅して、ヘッドスライダ５からの再生信号として信号処理回路によって処理を行う。信号処理回路は一般的にプリント基板（図示しない）上に実装される。
【００１９】
ランプ部材１２は、筐体２のベースに取り付けられる本体部１２ａを有する。底面から垂直方向に直立する本体部１２ａにはランプ部１２ｂが一体的に形成されている。ランプ部１２ｂは、アクチュエータアーム９の移動に伴ってリフトタブ７が描く軌跡上であって、ディスク媒体４の外周端に設けられている。ランプ部１２ｂは傾斜面２０、誘導面２１、側壁面１８を有する。傾斜面２０、誘導面２１、側壁面１８については図２、図３に図示する。
【００２０】
傾斜面２０は、リフトタブ７が誘導されるリフトタブ進入端１９からヘッドスライダ５をディスク媒体４から離間させる為にリフトタブ７を上昇させるための傾斜面である。また、誘導面２１は、傾斜面２０から連続して形成されヘッドスライダ５を水平に誘導する。側壁面１８は傾斜面２０及び誘導面２１と連続した面である。本実施形態において一例として側壁面１８は傾斜面２０及び誘導面２１に垂直な壁として表している。
【００２１】
接触部材１３は側壁面１８に設けられる。アクチュエータアーム９ａの支軸１０から接触部材１３のヘッドスライダの流出端面６に対向する面である側壁面１８までの長さ１５は、支軸１０からヘッドスライダの流出端面６までの長さ１６より短く規定される。従って、流出端面６と接触部材１３を確実に接触させることができる。また、流出端面６と接触部材１３の間隙を接触部材１３の厚さより小さくすることで、ヘッドスライダ５が本体部１２ａに衝突せずに流出端面６と接触部材１３を接触させることができる。
【００２２】
さらに、必要なタイミングのみに、流出端面６と接触部材１３を接触させたい場合に対応して、図１のように、筐体２のベース内に駆動モータ１４を設けることもできる。駆動モータ１４は、ランプ部材１２を移動方向１７に往復移動させる駆動機構である。
【００２３】
上述したように、ヘッドスライダ５がロード・アンロードされる際に流出端面６と接触部材１３が接触し摺動することで流出端面６に付着した潤滑剤等の塵埃を取り除くことができる。潤滑剤は、例えばパーフルオロポリエーテル（ＰＦＰＥ）といった材料が用いられる。
【００２４】
図２にディスク媒体に対向する浮上面を有するヘッドスライダに設けたリフトタブとランプ部材の模式図を示す。電源断時などの所定のタイミングでリフトタブ７がランプ部１２ｂに乗り上げてディスク媒体４上からヘッドスライダ５を退避させる。ヘッドスライダ５がアンロードする際には、リフトタブ７がランプ部１２ｂの先端のリフトタブ進入端１９から乗り上げ、傾斜面２０上を移動し、誘導面２１に退避する。ロードする場合、ランプの誘導面２１から傾斜面２０を降りて、リフトタブ進入端１９からディスク媒体４上にロードする。
【００２５】
側壁面１８は、リフトタブ７がランプ部１２ｂに乗り上げた時にヘッドスライダ５の素子が形成された流出端面６と対向する面である。側壁面１８には、接触部材１３、例えば、不織布、メガネ拭き用布、多孔質な素材のもの等が設けられる。それゆえに、ランプ部材の側壁面１８に沿って取り付けた接触部材１３とヘッドスライダ５の流出端面６とが、接触し摺動することができる。
【００２６】
リフトタブ７がランプ部１２ｂ上を移動して退避位置に移動する際に、ヘッドスライダの流出端面６と接触部材１３とが摺動するので、ヘッドスライダ５の流出端面６に付着していた潤滑剤等が接触部材１３に転写する。ヘッドスライダ５から除去することができる。ヘッドスライダ５の流出端面６と接触部材１３が接触し摺動することにより、潤滑剤等を掃き出してもよい。
【００２７】
なお、ランプ部材１２はディスク媒体４に対する高さ寸法の精度が要求されるとともに、ヘッドスライダ５、リフトタブ７との接触し摺動する際の接触摩擦による摩耗、発塵の少ない材料が好ましい。耐摩耗性を向上させることによって、長期間、ディスク媒体４に対する高さ寸法の精度を保つことで、記憶装置の信頼性が向上する。
【００２８】
発塵し易い材料をランプ部材１２とリフトタブ７との接触箇所に用いると、記憶装置内に塵埃が増えてしまうので、発塵の少ない材料を選ぶと良い。さらに、リフトタブ７とランプ部材１２の摩擦、摩耗特性を維持するために、ランプ部材１２とリフトタブ７の接触面の粗さやランプ部材の材料を考慮するとよい。
【００２９】
なお、図２に示したランプ部材１２は記憶装置内のディスク媒体４の回転方向によって、異なる場所に設置することもできる。
【００３０】
図３はランプ部材の一実施例を示したものであり、ディスク媒体を２枚用いたときの場合の例を示す。ランプ部１２ｂは、ヘッドスライダ５の個数に対応して２箇所設けられる。ランプ部１２ｂは、本体部１２ａから水平面に沿って突出した突片である。傾斜面２０、誘導面２１及び退避面２１ａは、連続面である。退避面２１ａは退避位置である。側壁面１８は、傾斜面２０、誘導面２１及び退避面２１ａの一端側と連続する面である。傾斜面２０、誘導面２１及び退避面２１ａの他端側は本体部１２ａの側面と連結する。図３では、側壁面１８の全体に接触部材１３が設けてある。
【００３１】
ここで、ヘッドスライダとディスク媒体との距離と潤滑剤の移動について図４で説明する。近年のヘッドスライダ５の流出端面６側の浮上距離２２は、数ｎｍ〜１０ｎｍ程度である。流入端面側の浮上距離２３は１００ｎｍ程度である。浮上面５ａに形成された凹凸のディスク媒体４からの距離がもっとも大きいところの浮上距離２４で数μｍ程度である。
【００３２】
そこに潤滑剤２５が蒸発などにより浮上面５ａに付着し、空気の流れ２６により、潤滑剤の移動方向２７のように流出端面６に移動する。ヘッドスライダ５がランプ部材上で停止したとき、流出端面６に付着した潤滑剤２５が移動し、浮上面側に付着することが起こる。
【００３３】
このように潤滑剤が浮上面に付着することにより表面形状が変化し、ヘッドスライダの浮上面の圧力分布が変化し、浮上変動が起こる。浮上量が設計値より低下すること、または振動することによりヘッドスライダ５とディスク媒体４との衝突が起こり易くなる。このとき、ヘッドスライダ５の浮上面５ａ上のディスク媒体と最も接近している面に潤滑剤２５等が移着するとディスク媒体に衝突する可能性がさらに大きくなる。
【００３４】
ランプ部材の実施例を示す。第１の実施例のランプ部材を図５、６に示す。図５はランプ部材とランプ部材に進入する前のヘッドスライダの位置関係を示した模式図である。図６はランプ部材とランプ部材に進入したヘッドスライダの位置関係を示した模式図（上面、側面）である。
【００３５】
図５に示したようにヘッドスライダ５は移動方向２８へ、リフトタブ進入端１９から傾斜面２０上を移動する。ヘッドスライダ５がディスク媒体上を浮上している時は、図５のようにリフトタブ７とディスク媒体４との距離は、ランプ部材の侵入端１９とディスク媒体４との距離より大きいことにより、電源断時などの所定のタイミングでリフトタブ７がランプ部１２ｂに乗り上げてディスク媒体４上からヘッドスライダ５を退避することができる。
【００３６】
側壁面１８は、リフトタブ７がランプ部１２ｂに乗り上げた時にヘッドスライダ５の素子が形成された流出端面６と対向する面である。ランプ部材の側壁面１８に沿って取り付けた接触部材１３とヘッドスライダ５の流出端面６とが、接触し摺動する。従って、リフトタブ７がランプ部１２ｂ上を移動して退避位置に移動する際に、スライダ流出端面６と接触部材１３とが摺動する。ヘッドスライダの流出端面６に付着していた潤滑剤等が接触部材に転写して、ヘッドスライダから除去される。
【００３７】
図６は傾斜面２０から誘導面２１上へ移動したところである。このとき、ヘッドスライダ５の流出端面６はランプ部材１２に設けられた接触部材１３と接触している。
【００３８】
ランプ部材の第２実施例を説明する。図７は支軸からランプ部材までの距離と支軸からヘッドスライダまでの距離の関係を表した模式図である。円弧２９はヘッドアクチュエータが回動した際にヘッドスライダの流出端面６が描く軌跡である。距離２９ａは支軸１０から流出端面６までの距離を表している。接触部材１３の接触面３０は、支軸１０から接触面３０までの距離３０ａが一定であるため、円弧を描くよう形成される。側壁面１８に沿って描かれる軌跡は、支軸１０から接触面３０までの距離３１ａが一定であるため、円弧３１となる。
【００３９】
間隔３２は距離２９ａと距離３０ａとの間隔である。ここで、距離２９ａは、距離３０ａより大きく、距離３１ａより小さい。このように距離２９ａを距離３０ａより間隔３２分大きく規定することにより、ヘッドスライダ５の流出端面６と接触部材１３とが確実に接触する。さらに、距離２９ａを距離３１ａより小さく規定することにより、ヘッドスライダ５の流出端面６とランプ部材１２が衝突することを避けられる。間隔３２は接触部材の厚さ以下である。
【００４０】
接触部材１３の形状をこのように円弧状にすることにより、ヘッドスライダと接触部材が接触し摺動する面積が増大し、潤滑剤の除去を確実に行えるようになる。
【００４１】
次に、ランプ部材の第３実施例について図８で説明する。図８はテーパ状部を有した接触部材を備えたランプ部材の形状を示した模式図である。ランプ部材１２の接触部材１３はテーパ状部１３ａを有する。テーパ状部１３ａはランプ部材１２のリフトタブ進入端１９側に設けられる。テーパ状部１３ａの形状は、接触部材の側壁面からの厚さ３３が誘導面２１から傾斜面２０、リフトタブ進入端１９に向かってテーパ状に薄くなり、接触部の厚さ３４が最薄部である。最薄部の厚さ３４はヘッドスライダの先端が移動に伴って描く円弧より外側に位置するように設けられる。これにより、スライダ流出端面６と接触部材１３が確実に接触して摺動し、ヘッドスライダの流出端面６に付着していた潤滑剤等が接触部材１３に転写して、ヘッドスライダから除去される。
【００４２】
また、ヘッドスライダ５がランプ部材１２に進入するとき、及びランプ部材１２からディスク媒体４上に出るときに、接触部材１３から受ける衝撃が低減される。衝撃が低減されることにより、ヘッドアクチュエータ９全体にかかる負荷が減り寿命が延びる。ロードする際、ヘッドスライダ５と接触部材１３が離れることにより生じる振動が抑制される。アンロードする際、接触時に進入方向と逆方向にかかる力が減少する。このため、高精度なアクチュエータアームの移動制御を保ち続ける。
【００４３】
ランプ部材の第４実施例について図９で説明する。図９は傾斜壁面を備えたランプ部材の形状を示した模式図である。ランプ部材１２の側壁面１８はリフトタブ進入端１９側がヘッドスライダから遠ざかる方向に曲がった傾斜側壁面１８ａを有する。傾斜側壁面１８ａは側壁面１８と連続して形成される。接触部材１３の厚さはランプ部材１２の側壁面１８からの厚さが一定の厚さに設けられる。ここで、接触部材の厚さ３５と接触部材の厚さ３６は同じ長さである。また、傾斜側壁面１８ａのリフトタブ進入端１９側はヘッドスライダ先端が描く円弧より外側に位置する。
【００４４】
ただし、傾斜側壁面１８ａの傾斜角度はリフトタブを乗せることができるような角度とする。接触部材のリフトタブ進入端側は側壁面１８の延長線より外側には規定されない。これにより、ヘッドスライダ５がランプ部材１２に進入するとき、及びランプ部材１２からディスク媒体４上に出るときに接触部材１３から受ける衝撃が低減される。ヘッドスライダと接触部材との接触時における衝撃が低減されることにより、ヘッドアクチュエータ全体にかかる負荷が減り寿命が延びる。さらに、接触部材１３の厚さが一定であるため、耐久性が向上する。これにより、長寿命で信頼性のある記憶装置を実現できる。
【００４５】
ランプ部材の第５実施例について図１０で説明する。図１０は接触部材の大きさを変えたランプ部材とヘッドスライダの模式図を示す。傾斜面２０の一部と誘導面２１の側面に対し、ヘッドスライダの流出端面の面積より大きく、ランプ部全体に接触部材を設けた場合の面積よりも少ない面積の接触部材１３を設ける。なお、接触部材１３は、リフトタブ７が停止し、ヘッドスライダが退避する位置である退避面２１ｂの側壁面の部分まで連続させても良い。
【００４６】
接触部材の幅３７と接触部材の高さ３８は、ヘッドスライダの流出端面６の面積より若干大きく設けられる。このため、接触し摺動する際に潤滑剤を除去することができる。接触部材１３をランプ部材１２の側壁面１８全体に設けるより接触部材１３の面積を小さくできるため、接触部材１３の材料が削減される。これにより、製造しやすい形状に接触部材を形成することにより製造コストを下げることも可能となる。接触部材１３を吸着性のものにすればより潤滑剤の除去に適したものとなる。
【００４７】
このように接触部材を設けることにより、ロード時の振動が抑制されるとともに、ヘッドアクチュエータへの負荷が減るため、長寿命で信頼性のある記憶装置を実現できる。
【００４８】
ランプ部材の第６実施例について図１１で説明する。図１１に駆動モータを備えたランプ部材とヘッドスライダの模式図を示す。本件のディスク装置はランプ部材１２をスライドさせる駆動機構として駆動モータ１４を有する。駆動モータ１４によりランプ部材１２を移動させ、所望のタイミングで、例えば起動時／電源断時やロード回数／アンロード回数などに応じて、流出端面６と接触部材１３を接触させる。駆動モータ１４はランプ部材の動作方向４０のようにランプ部材１２をヘッドスライダの流出端面６に接触させる方向と、ヘッドスライダから離れる方向に移動させる。ヘッドスライダ５はヘッドスライダの移動方向４１の方向に移動する。従って、駆動モータにより、ヘッドスライダと接触部材を任意の場合に接触、離間させることができるので、ロード・アンロードの動作時に離間させておけば振動を抑制することができる。
【００４９】
これによって、ヘッドスライダがランプ部材に進入するときは離れた位置に待機させ、停止位置（退避位置）に位置付けされたときにヘッドスライダと接触部材を接触させることが可能となる。ヘッドスライダの流出端面の摩耗を防ぐことができる。ヘッドスライダがランプ部材に進入するときと脱出するときの衝撃を防ぐことができる。駆動モータによりランプ部材を移動する際、リフトタブがランプ部材１２からディスク媒体上に落ちないように駆動範囲を規定する。
【００５０】
ランプ部材の第７実施例について図１２と図１３を用いて説明する。図１２は流出端面に接続端子部を有するヘッドスライダの斜視図である。ヘッドスライダ５の流出端面６に接続端子４２が配置される。接続端子４２はヘッドスライダ側接続端子からサスペンション側の端子に接続するボンディング部材である。
【００５１】
図１３にヘッドスライダとランプ部材の位置関係を表す模式図を示す。リフトタブ７が傾斜面２０及び誘導面２１を移動するときに、接触部材が接続端子部に接触せず、接続端子部以外の流出端面に接触するように端子部を避けて接触部材を設ける。
これによって、接触用部材が接触する領域は、をヘッドスライダの流出端面６の浮上面５ａに近い端部６ａに限定される。潤滑剤等の塵埃は浮上面近傍に局所的に溜まり易く、接触部材の接触領域を端部６ａに限定することで、片当たり現象を抑制でき、効果的に潤滑剤を除去できる。さらに、ボンディング部材（接続端子）に接触しないことにより、ボンディング部材に衝撃が加わらなくなり、ボンディング部材の剥離、摩耗等が回避できる。
【００５２】
図１４にディスク媒体に対するランプ部材の接触部材位置について示す。接触部材とヘッドスライダが接触すると潤滑剤等の塵埃が掃きだされ、ディスク媒体方向に落下することが考えられる。そこで、図１４のディスクの外周端４３上に重ならないところに接触部材を設けると良い。つまり、媒体の中心から接触部材１３のリフトタブ進入端１９ａまでの距離は、記憶媒体４の半径Ｒより大きければ良い。
【００５３】
さらに、接触部材１３は摩耗しにくく、発塵しにくい素材であることが望ましい。また、接触部材はヘッドスライダに付着した潤滑剤を吸着するか、掃きだすことができる表面形状であると良い。多孔質のものを使用することが考えられる。
【００５４】
（付記１）記憶媒体に対向する浮上面と空気の流出側に位置する流出端面を有するヘッドスライダと、支軸を中心に回動し、前記ヘッドスライダを前記記憶媒体上に移動させるヘッドアクチュエータと、前記ヘッドアクチュエータの先端に設けられたリフトタブと、前記リフトタブが進入する傾斜面と、前記傾斜面に連続して形成され前記リフトタブを誘導する誘導面と、前記ヘッドスライダの前記流出端面に対向する側壁面とを有するランプ部材と、前記ランプ部材の前記側壁面に設けられ、前記ヘッドスライダの前記流出端面と接触する接触部材と、を備えることを特徴とする記憶装置。
【００５５】
（付記２）前記ランプ部材の前記側壁面は前記支軸から等距離に描かれる円弧状であり、前記接触部材は、前記ヘッドアクチュエータの回動により前記ヘッドスライダ先端で描かれる円弧に沿って設けられることを特徴とする付記１に記載の記憶装置。
【００５６】
（付記３）前記接触部材の前記側壁面からの厚さは、リフトタブ進入端に向かってテーパ状に薄くなり、最薄部は前記ヘッドスライダの先端が移動に伴って描く円弧より外側に位置することを特徴とする付記１または２に記載の記憶装置。
【００５７】
（付記４）前記接触部材の前記側壁面からの厚さは一定の厚さであり、前記側壁面はリフトタブ進入端に向かって傾斜する傾斜壁面を有し、前記傾斜壁面の前記ヘッドスライダ進入端は前記ヘッドスライダの先端が移動に伴って描く円弧より外側に位置することを特徴とする付記１または２に記載の記憶装置。
【００５８】
（付記５）前記ランプ部材をスライドさせる駆動機構を有することを特徴とする付記１または２いずれか１項に記載の記憶装置。
【００５９】
（付記６）前記ヘッドスライダの前記流出端面は端子部を有し、前記接触部材は、前記端子部が対向する位置を避けて前記側壁面に設けられることを特徴とする付記１乃至５いずれか１項に記載の記憶装置。
【００６０】
（付記７）前記記憶媒体の中心から前記接触部材の前記リフトタブ進入端までの距離は、前記記憶媒体の半径より大きいことを特徴とする付記１乃至６いずれか１項に記載の記憶装置。
【００６１】
（付記８）ヘッドスライダをロード・アンロードする際に、ヘッドアクチュエータの先端に設けられたリフトタブを誘導する記憶装置用ランプ部材であって、本体部と、前記本体部の側面に突出して設けられた突片と、前記突片の先端に設けられ、前記リフトタブが進入する傾斜面と、前記傾斜面に連続して形成され前記リフトタブを誘導する誘導面と、前記突片に設けられ、前記傾斜面及び誘導面に連続した側壁面と、前記側壁面に設けられ、前記ヘッドスライダの前記流出端面と接触する接触部材と、を備えたことを特徴とする記憶装置用ランプ部材。
（付記９）前記側壁面は、所定の曲率で描かれる円弧状であることを特徴とする付記８に記載の記憶装置用ランプ部材。
（付記１０）前記円弧の曲率半径はヘッドアクチュエータの支軸とヘッドスライダの流出端面の距離よりも短いことを特徴とする付記９に記載の記憶装置用ランプ部材。
【符号の説明】
【００６２】
１．磁気ディスク装置
４．ディスク媒体
５．ヘッドスライダ
５ａ．浮上面
６．流出端面
７．リフトタブ
８．サスペンション
９．ヘッドアクチュエータ
９ａ．アクチュエータアーム
１０．支軸
１１．ボイスコイルモータ
１２．ランプ部材
１２ａ．本体部
１２ｂ．ランプ部
１３．接触部材
１３ａ．テーパ状部
１４．駆動モータ
１８．側壁面
１９．リフトタブ進入端
２０．傾斜面
２１．誘導面
２１ａ．退避面
２５．潤滑剤
２６．空気の流れ
２７．潤滑剤の移動方向
２８．ヘッドスライダの移動方向
２９．円弧
２９ａ．距離
３０．接触面
３０ａ．距離
３１．円弧
３１ａ．距離
３２．間隔
３３．接触部材の厚さ
３４．接触部材の厚さ
３５．接触部材の厚さ
３６．接触部材の厚さ
３７．接触部材の幅
３８．接触部材の高さ
４０．ランプ部材の動作方向
４１．ヘッドスライダの移動方向
４２．接続端子
４３．ディスク外周端
【図１】
2010218618.tif 000003
【図２】
2010218618.tif 000004
【図３】
2010218618.tif 000005
【図４】
2010218618.tif 000006
【図５】
2010218618.tif 000007
【図６】
2010218618.tif 000008
【図７】
2010218618.tif 000009
【図８】
2010218618.tif 000010
【図９】
2010218618.tif 000011
【図１０】
2010218618.tif 000012
【図１１】
2010218618.tif 000013
【図１２】
2010218618.tif 000014
【図１３】
2010218618.tif 000015
【図１４】
2010218618.tif 000016